(57)【要約】【課題】台形歪補正に伴う視認性の低下を抑制することが可能なプロジェクタを提供する。【解決手段】１方向補正部は、画像信号処理部から入力される画像データから画素値の間引きを行い、補正を行わない場合に比べて、入力画像Ｇｉがあおり方向（＋Ｙ方向）に向かうほど縮小するような補正を施す。ここで、１方向補正部は、入力画像Ｇｉをあおり方向と垂直な方向（±Ｘ方向）にのみ縮小させ、入力画像Ｇｉの本来のアスペクト比を保持しないようになっている。具体的には、液晶ライトバルブ１２の画素領域１２ａに、画素領域１２ａと同じ高さで、かつあおり方向（＋ｙ方向）に向かうほど横幅（±ｘ方向の寸法）が縮小する形状の画像形成領域１２ｉを設定する。次いで、この画像形成領域１２ｉに入力画像Ｇｉを形成させるために、画像データから、あおり投写による拡大の程度が高い位置ほど多くの画素値を間引く。【選択図】図５
2008277953.tif 000002
【特許請求の範囲】
【請求項１】
光源と、
前記光源から射出された光を変調して画像を形成する光変調装置と、
前記光変調装置で形成された画像を投写する投写光学系と、
あおり投写を行う場合に生じる台形歪を補正するために、前記光変調装置に形成させる画像を縮小させる台形歪補正部と、
を有し、
前記台形歪補正部は、前記画像を、前記あおりの方向と垂直な方向にのみ縮小させる１方向補正部を備えることを特徴とするプロジェクタ。
【請求項２】
請求項１に記載のプロジェクタであって、
前記台形歪補正部は、前記画像を、前記あおりの方向と平行な方向、及び前記あおりの方向と垂直な方向の双方に縮小させる２方向補正部を備え、
前記１方向補正部による補正、及び前記２方向補正部による補正を切り替え可能な歪補正切替部をさらに備えることを特徴とするプロジェクタ。
【請求項３】
請求項２に記載のプロジェクタであって、
投写すべき画像を表す画像信号が入力される画像信号入力部と、
前記画像信号の種別を判定する信号判別部と、
をさらに備え、
前記歪補正切替部は、前記信号判別部によって判別された前記画像信号の種別に応じて、前記１方向補正部による補正と前記２方向補正部による補正とを切り替えることを特徴とするプロジェクタ。
【請求項４】
請求項３に記載のプロジェクタであって、
前記信号判別部が、前記画像信号の種別を、パーソナルコンピュータから入力された信号と判定した場合に、前記歪補正切替部は、前記１方向補正部による補正に切り替えることを特徴とするプロジェクタ。
【発明の詳細な説明】
【技術分野】
【０００１】
本発明は、あおり投写に伴う台形歪を補正することが可能なプロジェクタに関する。
【背景技術】
【０００２】
多数の画素がマトリクス状に形成された光変調装置によって画像を形成し、当該画像をスクリーン等に投写するプロジェクタにおいて、スクリーンに対してプロジェクタを傾けた状態で投写（あおり投写）した場合に生じる台形歪を補正可能なプロジェクタが知られている（例えば、特許文献１、２参照）。このようなプロジェクタでは、光変調装置で画像を形成する際に、前記台形歪を相殺するように歪ませた画像を形成することによって、正規の形状（矩形）で画像を表示することが可能となっている。
【０００３】
例えば、斜め上方のスクリーンに対してあおり投写を行う場合には、投写画像は、上方向に伸張するとともに、上底が下底よりも長い台形状になってしまう。このため、光変調装置で画像を形成する際には、上側ほど多くの画素を間引いて、上下方向に縮小するとともに上底のほうが短い台形状の画像を形成することにより、表示すべき画像を正規の形状（矩形）に補正することができる。
【０００４】
【特許文献１】特開２００３−２８３９６３号公報
【特許文献２】特開平９−２６１５６８号公報
【発明の開示】
【発明が解決しようとする課題】
【０００５】
しかしながら、上記のような台形歪補正は、画素の間引き、即ち各画素の階調を規定する画素値の間引きを行うため、画像が本来持っている階調情報の一部が失われてしまうことになる。このため、画像中に比較的小さな文字等が含まれる場合には、画素の間引きによってその視認性が低下してしまうという問題を有している。特許文献２に記載のプロジェクタでは、間引かれる画素の階調情報に応じて近傍の画素の階調情報を補正することにより、階調情報の欠落を補うようにしているが、本来よりも少ない画素で画像を表現する以上、その補正には限界があり、視認性の低下を免れることはできなかった。
本発明は、上記問題に鑑みてなされたものであり、その目的は、台形歪補正に伴う視認性の低下を抑制することが可能なプロジェクタを提供することにある。
【課題を解決するための手段】
【０００６】
本発明のプロジェクタは、光源と、前記光源から射出された光を変調して画像を形成する光変調装置と、前記光変調装置で形成された画像を投写する投写光学系と、あおり投写を行う場合に生じる台形歪を補正するために、前記光変調装置に形成させる画像を縮小させる台形歪補正部と、を有し、前記台形歪補正部は、前記画像を、前記あおりの方向と垂直な方向にのみ縮小させる１方向補正部を備えることを特徴とする。
【０００７】
このプロジェクタによれば、光変調装置に形成させる画像をあおりの方向と垂直な方向にのみ縮小させる１方向補正部を備えるため、あおりの方向と垂直な方向及びあおりの方向と平行な方向の双方に縮小させる場合に比べて、台形歪の補正に伴う視認性の低下を抑制することが可能となる。
【０００８】
このプロジェクタにおいて、前記台形歪補正部は、前記画像を、前記あおりの方向と平行な方向、及び前記あおりの方向と垂直な方向の双方に縮小させる２方向補正部を備え、前記１方向補正部による補正、及び前記２方向補正部による補正を切り替え可能な歪補正切替部をさらに備えることが望ましい。
【０００９】
このプロジェクタによれば、台形歪補正部が、１方向補正部に加えて、画像をあおりの方向と平行な方向及びあおりの方向と垂直な方向の双方に縮小させて台形歪を補正する２方向補正部を有し、さらに、１方向補正部による補正と、２方向補正部による補正とを切替可能な歪補正切替部を備えているため、これら２つの補正を、好みや画像の種別などに応じて使い分けることが可能となる。
【００１０】
このプロジェクタにおいて、投写すべき画像を表す画像信号が入力される画像信号入力部と、前記画像信号の種別を判定する信号判別部と、をさらに備え、前記歪補正切替部は、前記信号判別部によって判別された前記画像信号の種別に応じて、前記１方向補正部による補正と前記２方向補正部による補正とを切り替えることが望ましい。
【００１１】
このプロジェクタによれば、歪補正切替部が、入力される画像信号の種別に応じて、１方向補正部による補正と２方向補正部による補正とを切り替えるため、画像信号の種別に応じた適切な補正を施すことが可能となる。
【００１２】
このプロジェクタにおいて、前記信号判別部が、前記画像信号の種別を、パーソナルコンピュータから入力された信号と判定した場合に、前記歪補正切替部は、前記１方向補正部による補正に切り替えることが望ましい。
【００１３】
パーソナルコンピュータから入力される画像信号が表す画像には、文字情報が含まれることが多い。このプロジェクタによれば、画像信号がパーソナルコンピュータから入力された場合に、歪補正切替部が１方向補正部による補正に切り替えるため、文字情報の視認性が低下するのを抑制することが容易になる。
【発明を実施するための最良の形態】
【００１４】
以下、本発明の実施形態に係るプロジェクタについて、図面を参照して説明する。本実施形態のプロジェクタは、光源から射出される光を変調して、外部の画像供給装置から入力される画像信号に応じた画像（入力画像）を形成し、スクリーン等に向けて投写するものである。
【００１５】
図１は、本実施形態のプロジェクタの概略構成を示すブロック図である。
図１に示すように、プロジェクタ１は、画像の投写を行う画像投写部１０と、制御部２０と、入力操作部２１と、画像信号入力部３０と、モード判定部３１と、画像信号処理部３２と、台形歪補正部３３とを有している。
【００１６】
画像投写部１０は、超高圧水銀ランプやメタルハライドランプ等の放電型光源ランプからなる光源１１と、光源１１から射出される光を変調して画像を形成する光変調装置としての液晶ライトバルブ１２と、液晶ライトバルブ１２で形成された画像をスクリーンＳＣ等に拡大投写する投写光学系としての投写レンズ１３と、液晶ライトバルブ１２を駆動するライトバルブ駆動部１４とを備えている。
【００１７】
図２は、液晶ライトバルブ１２を示す正面図である。
図２に示すように、液晶ライトバルブ１２は、一対の透明基板間に液晶が封入された液晶パネル等によって構成される。液晶ライトバルブ１２には、マトリクス状に配列された複数の画素１２ｐからなる矩形状の画素領域１２ａが形成されており、液晶に対して画素１２ｐ毎に駆動電圧を印加可能になっている。ライトバルブ駆動部１４の駆動によって、液晶ライトバルブ１２の各画素１２ｐに画像信号に応じた駆動電圧が印加されると、光源１１から射出された光は、画素１２ｐ毎に異なる光透過率で液晶ライトバルブ１２を透過して、画像信号に応じた画像（画像光）となり、投写レンズ１３によってスクリーンＳＣ等に投写される。
【００１８】
なお、図示は省略しているが、画像投写部１０は、光の３原色である赤（Ｒ）、緑（Ｇ）、青（Ｂ）の各色光用に３つの液晶ライトバルブ１２を備えている。光源１１から射出される光は、図示しない光分離光学系によって前記３つの色光に分離された後、それぞれ各色光用の液晶ライトバルブ１２に入射する。液晶ライトバルブ１２を透過した各色の画像光は、図示しない光合成光学系（ダイクロイックプリズム等）によって画素毎に合成され、カラー画像を表す画像光となって投写レンズ１３から投写される。
【００１９】
図１に戻って、制御部２０は、ＣＰＵ（Central Processing Unit）、フラッシュメモリ等からなるＲＯＭ（Read Only Memory）、各種データの一時記憶等に用いられるＲＡＭ（Random Access Memory）等（いずれも図示せず）を備え、コンピュータとして機能するものである。制御部２０は、ＣＰＵがＲＯＭに記憶されている制御プログラムに従って動作することにより、プロジェクタ１の動作を統括制御する。
【００２０】
入力操作部２１は、プロジェクタ１に対して各種指示を行うための複数のキー等を備えている。入力操作部２１が備えるキーには、電源のオン／オフを行うための電源キーや、各種設定を行うためのメニュー画像の表示／非表示を切り替えるメニューキー、入力ソースを切り替えるためのソースキー、台形歪の補正を指示するための台形補正キー等がある。ユーザが入力操作部２１を操作すると、入力操作部２１は、ユーザの操作内容に応じた操作信号を制御部２０に出力する。なお、入力操作部２１として、遠隔操作が可能なリモコン（図示せず）を用いた構成としてもよい。この場合、リモコンは、ユーザの操作内容に応じた赤外線の操作信号を発し、図示しないリモコン信号受信部がこれを受信して制御部２０に伝達する。
【００２１】
画像信号入力部３０には、ＰＣ（パーソナルコンピュータ）や映像再生装置等、外部の画像供給装置２とケーブルを介した接続を行うための各種接続端子が備えられ、画像供給装置２から各種形式の画像信号が入力される。画像信号の形式としては、大別して、アナログＲＧＢ信号など、主にＰＣから入力されるＰＣ系の信号と、映像再生装置等からコンポジット信号やコンポーネント信号等として入力されるビデオ系の信号とがあり、さらにこれらの信号は、解像度や走査周波数等の違いによって多数の表示モードに分類できる。また、画像信号には、画像の階調情報を表す信号（以下、ＲＧＢ信号という。）とともに、当該信号の走査タイミングを規定する各種同期信号（水平同期信号Ｈや垂直同期信号Ｖ等）が含まれており、画像信号入力部３０は、ＲＧＢ信号と同期信号とを分離して、ＲＧＢ信号を画像信号処理部３２に、同期信号をモード判定部３１に出力する。
【００２２】
モード判定部３１は、入力される同期信号等に基づいて、当該画像信号の表示モードを判定し、判定結果を画像信号処理部３２及び制御部２０に通知する。
【００２３】
画像信号処理部３２は、モード判定部３１から上記通知を受けると、判定された表示モードに適したタイミングで画像信号（ＲＧＢ信号）のサンプリングを行い、画像信号に応じたデジタルの画像データを生成する。さらに、画像信号処理部３２は、生成した画像データに対して各種データ処理（画像処理）を施し、処理後の画像データを台形歪補正部３３に出力する。
なお、画像信号処理部３２から出力される画像データは、色光別に生成されており、各液晶ライトバルブ１２の画素領域１２ａ内のすべての画素１２ｐに対応する複数の画素値によって構成されている。画素値とは、対応する画素１２ｐの光透過率を定めるものであり、この画素値によって、各画素１２ｐから射出する光の強弱（階調）が規定される。
【００２４】
台形歪補正部３３は、あおり投写を行う場合、即ちスクリーンＳＣに対してプロジェクタ１を傾けた状態で画像を投写する場合に、投写画像があおりの方向（傾けた方向、以降、あおり方向という。）に拡大してしまう歪（台形歪）を抑制するために、入力される画像データの補正（台形歪補正）を行う。ユーザが入力操作部２１の台形補正キーを操作すると、制御部２０は、台形歪補正部３３に対して、台形歪補正の実施を指示する。
【００２５】
台形歪補正部３３には、画像データから画素値の間引きを行って、液晶ライトバルブ１２で形成すべき入力画像を、あおり方向に向かうほど縮小させる２つの補正部（２方向補正部３３ａ、及び１方向補正部３３ｂ）が備えられており、これらのうちのいずれか一方によって補正が行われる。２方向補正部３３ａは、入力画像を、あおり方向と垂直な方向、及びあおり方向と平行な方向の双方に縮小させるものであり、１方向補正部３３ｂは、入力画像をあおり方向と垂直な方向にのみ縮小させるものである（詳しくは後述する）。台形歪補正部３３は、補正後の画像データをライトバルブ駆動部１４に出力する。なお、台形歪補正を行わない場合には、画像信号処理部３２から出力される画像データが、そのままライトバルブ駆動部１４に出力される。
ライトバルブ駆動部１４が、入力される画像データ、即ち画素１２ｐ毎の画素値に従って液晶ライトバルブ１２を駆動すると、画像データに応じた入力画像がスクリーンＳＣに投写される。
【００２６】
次に、台形歪補正部３３による台形歪補正について、図３〜図５を用いて説明する。
図３（ａ）〜（ｅ）は、台形歪補正を説明するための説明図であり、台形歪補正を施していない状態を示す図である。ここで、（ａ）は、液晶ライトバルブ１２の正面図、（ｂ）は、プロジェクタ１が水平に投写を行う様子を示す側面図、（ｃ）は、そのときにスクリーンＳＣに表示される投写画像を示す正面図である。また、（ｄ）は、プロジェクタ１があおり投写を行う様子を示す側面図であり、（ｅ）は、そのときにスクリーンＳＣに表示される投写画像を示す正面図である。
【００２７】
なお、図３〜図５において、液晶ライトバルブ１２に向かって左右方向を±ｘ方向、上下方向を±ｙ方向とし、スクリーンＳＣに向かって左右方向を±Ｘ方向、上下方向を±Ｙ方向とする。ここで、スクリーンＳＣのＸ方向及びＹ方向は、それぞれ液晶ライトバルブ１２のｘ方向、及びｙ方向に対応するものであり、例えば、画素領域１２ａの右上（＋ｘ，＋ｙ側）の画素を透過した光は、スクリーンＳＣの右上（＋Ｘ，＋Ｙ側）に投写される。
また、図３〜図５において、画素領域１２ａや投写画像Ｇａ内に示した格子状の模様は、画素領域１２ａに形成された画像と、スクリーンＳＣに投写された投写画像Ｇａとの対応を示すために補助的に付加した線であり、実際にこのような模様を表示することを意味するものではない。
【００２８】
図３（ａ）に示すように、台形歪補正を行わない場合には、液晶ライトバルブ１２は、画素領域１２ａの全域で入力画像Ｇｉを形成する。つまり、この場合には、入力画像Ｇｉを形成するための領域（画像形成領域１２ｉ）は、画素領域１２ａと一致する。ここで、図３（ｂ）、（ｃ）に示すように、プロジェクタ１が水平に設置され、スクリーンＳＣに対してあおりのない投写を行う場合には、スクリーンＳＣに表示される投写画像Ｇａ（入力画像Ｇｉ）は、画素領域１２ａと同じアスペクト比（縦横比）の矩形状となる。一方、図３（ｄ）、（ｅ）に示すように、プロジェクタ１をスクリーンＳＣに対して傾けて設置し、上方（＋Ｙ方向）に向けてあおり投写を行う場合には、スクリーンＳＣに表示される投写画像Ｇａ（入力画像Ｇｉ）は、あおり方向（＋Ｙ方向）に向かうほど、±Ｘ方向及び＋Ｙ方向に拡大されて台形状に歪む。
【００２９】
図４（ａ）、（ｂ）は、２方向補正部３３ａによる台形歪補正を説明するための説明図であり、（ａ）は、液晶ライトバルブ１２の正面図、（ｂ）は、あおり投写を行う場合にスクリーンＳＣに表示される投写画像を示す正面図である。
【００３０】
２方向補正部３３ａは、画像信号処理部３２から入力される画像データから画素値の間引きを行い、補正を行わない場合に比べて、入力画像Ｇｉがあおり方向（＋Ｙ方向）に向かうほど縮小するような補正を施す。ここで、２方向補正部３３ａは、入力画像Ｇｉを、あおり方向と垂直な方向（±Ｘ方向）、及びあおり方向と平行な方向（±Ｙ方向）の双方に縮小させることにより、入力画像Ｇｉの本来のアスペクト比を保持するようになっている。具体的には、図４（ａ）、（ｂ）に示すように、液晶ライトバルブ１２の画素領域１２ａに、台形歪を相殺可能な反対向きの台形形状、即ち画素領域１２ａよりも低い高さで、かつあおり方向（＋ｙ方向）に向かうほど横幅（±ｘ方向の寸法）が縮小する形状の画像形成領域１２ｉを設定する。次いで、この画像形成領域１２ｉに入力画像Ｇｉを形成させるために、２方向補正部３３ａは、画像データから、あおり投写による拡大の程度が高い位置ほど多くの画素値を間引くとともに、画像形成領域１２ｉの外側の領域、即ち入力画像Ｇｉの形成に寄与しない領域（余剰領域１２ｎ）に含まれる各画素１２ｐの光透過率が最小となるように画像データを補正する。この結果、図４（ｂ）に示すように、あおり投写による入力画像Ｇｉのゆがみが補正されるとともに、余剰領域１２ｎに対応する投写画像Ｇａ内の領域Ｇｎには光がほとんど照射されないことから、入力画像Ｇｉは、アスペクト比が保持された正規の形状（矩形状）でスクリーンＳＣに表示される。このように、２方向補正部３３ａによる補正では、画像のゆがみが補正され、アスペクト比が保持されるため、映画のようなビデオ系の信号が表す画像の補正に適している。
【００３１】
図５（ａ）、（ｂ）は、１方向補正部３３ｂによる台形歪補正を説明するための説明図であり、（ａ）は、液晶ライトバルブ１２の正面図、（ｂ）は、あおり投写を行う場合にスクリーンＳＣに表示される投写画像を示す正面図である。
【００３２】
１方向補正部３３ｂは、２方向補正部３３ａと同様、画像信号処理部３２から入力される画像データから画素値の間引きを行い、補正を行わない場合に比べて、入力画像Ｇｉがあおり方向（＋Ｙ方向）に向かうほど縮小するような補正を施す。ただし、１方向補正部３３ｂは、入力画像Ｇｉをあおり方向と垂直な方向（±Ｘ方向）にのみ縮小させ、入力画像Ｇｉの本来のアスペクト比を保持しないようになっている。具体的には、図５（ａ）、（ｂ）に示すように、液晶ライトバルブ１２の画素領域１２ａに、あおり投写に伴う入力画像Ｇｉの横方向（±Ｘ方向）の拡大を相殺可能な反対向きの台形形状、即ち画素領域１２ａと同じ高さで、かつあおり方向（＋ｙ方向）に向かうほど横幅が縮小する形状の画像形成領域１２ｉを設定する。次いで、この画像形成領域１２ｉに入力画像Ｇｉを形成させるために、１方向補正部３３ｂは、画像データから、あおり投写による拡大の程度が高い位置ほど多くの画素値を間引くとともに、余剰領域１２ｎに含まれる各画素１２ｐの光透過率が最小となるように画像データを補正する。この結果、図５（ｂ）に示すように、あおり投写による入力画像Ｇｉの横方向への拡大が補正されるとともに、余剰領域１２ｎに対応する投写画像Ｇａ内の領域Ｇｎには光がほとんど照射されないことから、入力画像Ｇｉは、アスペクト比が崩れて縦長になるものの、矩形状でスクリーンＳＣに表示される。このように、１方向補正部３３ｂによる補正では、入力画像Ｇｉをあおり方向と垂直な方向にのみ縮小させるため、アスペクト比が崩れてしまうものの、２方向補正部３３ａによる補正に比べて間引く画素が少なくて済み、より多くの画素で画像を形成することができる。このため、１方向補正部３３ｂによる補正は、ＰＣ系の信号が表す画像のように文字の視認性が要求される画像の補正に適している。
【００３３】
次に、本実施形態のプロジェクタ１の動作について説明する。プロジェクタ１は、入力される画像信号がビデオ系の信号かＰＣ系の信号かに応じて、台形歪を補正する際の補正方法、即ち２方向補正部３３ａによる補正と１方向補正部３３ｂによる補正とを切り替えるようになっている。
図６は、プロジェクタ１が台形歪補正を行う際の動作を説明するフローチャートである。ユーザにより入力操作部２１の台形補正キーが操作されると、制御部２０は、図６に示すフローに従って動作する。
【００３４】
図６に示すように、ステップＳ１０１では、制御部２０は、モード判定部３１が判定した表示モードを取得し、ステップＳ１０２では、取得した表示モードにより、画像信号がビデオ系の信号かＰＣ系の信号かを判断する。画像信号がビデオ系の信号である場合には、ステップＳ１０３に移行し、ＰＣ系の信号である場合には、ステップＳ１０４に移行する。
【００３５】
画像信号がビデオ系の信号で、ステップＳ１０３に移行した場合には、制御部２０は、台形歪補正部３３に対し、２方向補正部３３ａによる台形歪補正を実施するように指示をして処理を終了する。これにより、台形歪補正部３３は、これ以降入力される画像信号（ビデオ系の信号）に対して、２方向補正部３３ａによる台形歪補正を施す。
【００３６】
一方、画像信号がＰＣ系の信号で、ステップＳ１０４に移行した場合には、制御部２０は、台形歪補正部３３に対し、１方向補正部３３ｂによる台形歪補正を実施するように指示をして処理を終了する。これにより、台形歪補正部３３は、これ以降入力される画像信号（ＰＣ系の信号）に対して、１方向補正部３３ｂによる台形歪補正を施す。
【００３７】
以上説明したように、本実施形態のプロジェクタ１によれば、以下の効果を得ることができる。
（１）本実施形態のプロジェクタ１によれば、台形歪補正部３３が、液晶ライトバルブ１２に形成させる画像をあおり方向と垂直な方向にのみ縮小させる１方向補正部３３ｂを備えるため、あおり方向と垂直な方向及びあおり方向と平行な方向の双方に縮小させる場合に比べて、台形歪の補正に伴う視認性の低下を抑制することが可能となる。
【００３８】
（２）本実施形態のプロジェクタ１によれば、台形歪補正部３３が、１方向補正部３３ｂに加えて、画像をあおり方向と垂直な方向及びあおり方向と平行な方向の双方に縮小させて台形歪を補正する２方向補正部３３ａを有し、制御部２０が１方向補正部３３ｂによる補正と、２方向補正部３３ａによる補正とを切り替えているため、これら２つの補正を、好みや画像の種別などに応じて使い分けることが可能となる。
【００３９】
（３）本実施形態のプロジェクタ１によれば、制御部２０が、入力される画像信号の種別に応じて、１方向補正部３３ｂによる補正と２方向補正部３３ａによる補正とを切り替えるため、画像信号の種別に応じた適切な補正を施すことが可能となる。ここで、画像信号がビデオ系の場合には、入力画像Ｇｉのアスペクト比が崩れると、見る者に不自然な印象を与えてしまうことが多いため、本実施形態のように２方向補正部３３ａによる補正を施すことが望ましい。また、画像信号がＰＣ系の場合には、画像中に多くの文字情報を含む場合が多いため、本実施形態のように１方向補正部３３ｂによる補正を施し、視認性の低下を抑制することが望ましい。
【００４０】
なお、本実施形態において、制御部２０は、１方向補正部３３ｂによる補正と２方向補正部３３ａによる補正とを切り替えることから、本発明の歪補正切替部として機能する。また、モード判定部３１及び制御部２０は、画像信号の種別（ビデオ系かＰＣ系か）を判別することから、本発明の信号判別部として機能する。
【００４１】
（変形例）
また、本発明の実施形態は、以下のように変更してもよい。
前記実施形態では、画像信号の種別（ＰＣ系又はビデオ系）に応じて、台形歪の補正方法（１方向補正部３３ｂによる補正、又は２方向補正部３３ａによる補正）を切り替えているが、補正方法の切り替えは、画像信号の種別に基づくものに限定されない。例えば、入力操作部２１に、補正方法を切り替えるためのキーを備え、ユーザの操作に応じて切り替えるようにしてもよい。
【００４２】
前記実施形態において、台形補正キーが操作された場合に、ビデオ系の画像信号に対しては、２方向補正部３３ａによる台形歪補正を実施し、ＰＣ系の画像信号に対しては、１方向補正部３３ｂによる台形歪補正を実施するようにしているが、画像信号の種別と補正方法の組み合わせはこれに限定されない。また、ユーザが望む補正方法（１方向補正部３３ｂによる補正、又は２方向補正部３３ａによる補正）を制御部２０内の記憶手段（ＲＯＭ又はＲＡＭ）に記憶させるようにして、例えば、画像信号がビデオ系の場合には、記憶手段に記憶されている補正方法に従って補正を施し、画像信号がＰＣ系の場合には、無条件で１方向補正部３３ｂによる補正を施すようにすることも可能である。
【００４３】
前記実施形態では、プロジェクタ１が＋Ｙ方向にあおり投写を行う場合の例を示したが、他の方向（−Ｙ方向、±Ｘ方向）にあおり投写を行う場合にも、本発明を適用することが可能である。
【００４４】
前記実施形態では、光変調装置として、透過型の液晶ライトバルブ１２を用いているが、反射型の液晶ライトバルブ等、反射型の光変調装置を用いることも可能である。また、入射した光の射出方向を、画素としてのマイクロミラー毎に制御することにより、光源から射出した光を変調する微小ミラーアレイデバイス等を用いることもできる。
【００４５】
前記実施形態では、光源１１は、放電型光源ランプによって構成されているが、ＬＥＤ（Light Emitting Diode：発光ダイオード）光源等の固体光源や、その他の光源を用いることもできる。
【図面の簡単な説明】
【００４６】
【図１】本発明の実施形態に係るプロジェクタの概略構成を示すブロック図。
【図２】液晶ライトバルブを示す正面図。
【図３】台形歪補正を施していない状態を示す説明図であり、（ａ）は、液晶ライトバルブの正面図、（ｂ）は、プロジェクタが水平に投写を行う様子を示す側面図、（ｃ）は、そのときにスクリーンに表示される投写画像を示す正面図、（ｄ）は、プロジェクタがあおり投写を行う様子を示す側面図、（ｅ）は、そのときにスクリーンに表示される投写画像を示す正面図。
【図４】２方向補正部による台形歪補正を説明するための説明図であり、（ａ）は、液晶ライトバルブの正面図、（ｂ）は、あおり投写を行う場合にスクリーンに表示される投写画像を示す正面図。
【図５】１方向補正部による台形歪補正を説明するための説明図であり、（ａ）は、液晶ライトバルブの正面図、（ｂ）は、あおり投写を行う場合にスクリーンに表示される投写画像を示す正面図。
【図６】台形歪補正を行う際の動作を説明するフローチャート。
【符号の説明】
【００４７】
１…プロジェクタ、２…画像供給装置、１０…画像投写部、１１…光源、１２…液晶ライトバルブ、１２ａ…画素領域、１２ｉ…画像形成領域、１２ｎ…余剰領域、１２ｐ…画素、１３…投写レンズ、１４…ライトバルブ駆動部、２０…制御部、２１…入力操作部、３０…画像信号入力部、３１…モード判定部、３２…画像信号処理部、３３…台形歪補正部、３３ａ…２方向補正部、３３ｂ…１方向補正部、Ｇａ…投写画像、Ｇｉ…入力画像、ＳＣ…スクリーン。
【図１】
2008277953.tif 000003
【図２】
2008277953.tif 000004
【図３】
2008277953.tif 000005
【図４】
2008277953.tif 000006
【図５】
2008277953.tif 000007
【図６】
2008277953.tif 000008